(57)【要約】【課題】自由に決定できるセンタータップ付き変圧装置を提供する。【解決手段】変圧装置であって、プリント回路基板１１ａ、前記プリント回路基板１１ａ上に配置され、複数の第１のピンおよび複数の第２のピンを有する第１の変圧ユニット２１、および前記プリント回路基板１１ａ上に配置され、前記第１の変圧ユニット２１に隣接し、且つ複数の第３のピンおよび複数の第４のピンを有する第２の変圧ユニット２２を含む変圧モジュール１２、前記プリント回路基板１１ａ上に配置され、前記複数の第１〜第４のピンに電気的に接続されるように構成される第１〜第４の導電線Ｃ１〜Ｃ４を含み、前記複数の第１と第３のピンは、前記変圧モジュール１２の第１側１３に配置され、前記複数の第２と第４のピンは、前記第１側１３に相対する第２側１４に配置され、前記複数の第１のピンは、前記複数の第３のピンに隣接する。【選択図】図１
2014199906.tif 000002
【特許請求の範囲】
【請求項１】
変圧装置であって、
プリント回路基板、
前記プリント回路基板上に配置され、複数の第１のピンおよび複数の第２のピンを有する第１の変圧ユニット、および前記プリント回路基板上に配置され、前記第１の変圧ユニットに隣接し、且つ複数の第３のピンおよび複数の第４のピンを有する第２の変圧ユニットを含む変圧モジュール、
前記プリント回路基板上に配置され、前記複数の第１のピンに電気的に接続するように構成される第１の導電線、
前記プリント回路基板上に配置され、前記複数の第２のピンに電気的に接続するように構成される第２の導電線、
前記プリント回路基板上に配置され、前記複数の第３のピンに電気的に接続するように構成される第３の導電線、および
前記プリント回路基板上に配置され、前記複数の第１のピンに電気的に接続するように構成される第４の導電線を含み、
前記複数の第１と第３のピンは、前記変圧モジュールの第１側に配置され、前記複数の第２と第４のピンは、前記第１側に相対する第２側に配置され、前記複数の第１のピンは、前記複数の第３のピンに隣接する変圧装置。
【請求項２】
前記第１の変圧ユニットは、第１の磁気コアを更に含み、前記複数の第１および第２のピンは、前記第１の磁気コアに配置される請求項１に記載の変圧装置。
【請求項３】
前記第２の変圧ユニットは、第２の磁気コアを更に含み、前記複数の第３および第４のピンは、前記第２の磁気コアに配置される請求項２に記載の変圧装置。
【請求項４】
前記第１の変圧ユニットは、各々前記第１の磁気コアに巻かれた第１および第２の巻線セットを更に含む請求項３に記載の変圧装置。
【請求項５】
前記第２の変圧ユニットは、各々前記第２の磁気コアに巻かれた第３および第４の巻線セットを更に含む請求項４に記載の変圧装置。
【請求項６】
前記第１および第２の巻線セットは、異なる方向で巻かれる請求項４に記載の変圧装置。
【請求項７】
前記第３および第４の巻線セットは、異なる方向で巻かれる請求項５に記載の変圧装置。
【請求項８】
前記複数の第１〜第４ピンの各々のピンの数は、２である請求項１に記載の変圧装置。
【請求項９】
前記第１および第２導電線は、前記第１の変圧ユニットのセンタータップを形成するように構成され、前記第３および第４導電線は、前記第２の変圧ユニットのセンタータップを形成するように構成される請求項１に記載の変圧装置。
【発明の詳細な説明】
【技術分野】
【０００１】
本発明は、変圧装置に関し、特に、自由に決定できるセンタータップ付き変圧装置に関するものである。
【背景技術】
【０００２】
従来の変圧器のセンタータップは固定されているため、一次側コイルおよび二次側コイルは、隣接する従来の変圧器に、通常、固定した側で配置される。複数の変圧器がプリント回路基板上に並べて配置された時、２つの隣接する変圧器は、通常、異なる側のコイルが隣接し（即ち、第１の変圧器の一次側コイルは、第２の変圧器の二次側コイルに隣接する）、２つの変圧器間の間隙は、通常増加されて、異なる変圧器の一次側および二次側コイルによって発生される高電圧放電経路を回避する。しかしながら、２つの変圧器間の間隙が増加された時、より大きな面積のプリント回路基板が必要とされ、プリント回路基板のコストが増加する。よって、より小さいレイアウト面積を用いる変圧器が必要とされる。
【先行技術文献】
【特許文献】
【０００３】
【特許文献１】特開平５−１５２１４５号公報
【発明の概要】
【発明が解決しようとする課題】
【０００４】
本発明は、自由に決定できるセンタータップ付き変圧装置を提供するものである。
【課題を解決するための手段】
【０００５】
詳細な説明は、添付の図面と併せて以下の実施形態に説明される。
【０００６】
変圧装置の実施形態が提供される。変圧装置は、プリント回路基板、変圧モジュール、および第１〜第４の導電線を含む。変圧モジュールは、プリント回路基板上に配置され、複数の第１のピンおよび複数の第２のピンを有する第１の変圧ユニット、およびプリント回路基板上に配置され、第１の変圧ユニットに隣接する第２の変圧ユニットを含む。第２の変圧ユニットは、複数の第３のピンおよび複数の第４のピンを有する。第１〜第４の導電線は、プリント回路基板上に配置され、各々複数の第１〜第４のピンに電気的に接続されるように構成される。複数の第１と第３のピンは、変圧モジュールの第１側に配置され、複数の第２と第４のピンは、第１側に相対する第２側に配置され、複数の第１のピンは、複数の第３のピンに隣接する。
【発明の効果】
【０００７】
本発明の変圧装置は、従来の変圧器の間隙より小さい間隙で高電圧絶縁試験を通過することができる。また、変圧器のレイアウト面積は、効果的に減少されることができる。
【図面の簡単な説明】
【０００８】
本発明は、添付の図面と併せて後に続く詳細な説明と実施例を解釈することによって、より完全に理解されることができる。
【図１】本発明の変圧装置の実施形態を表す概略図である。
【図２】本発明の変圧ユニットの実施形態を表すもう１つの概略図である。
【図３Ａ】本発明のプリント回路基板の接続方法を表すもう１つの概略図である。
【図３Ｂ】本発明のプリント回路基板の接続方法を表すもう１つの概略図である。
【図４】本発明の変圧装置の実施形態を表すもう１つの概略図である。
【図５】本発明のプリント回路基板の接続方法を表すもう１つの概略図である。
【図６】本発明の変圧装置の実施形態を表すもう１つの概略図である。
【図７】本発明のプリント回路基板の接続方法を表すもう１つの概略図である。
【発明を実施するための形態】
【０００９】
以下の説明は、本発明を実施するベストモードが開示されている。この説明は、本発明の一般原理を例示する目的のためのもので、本発明を限定するものではない。本発明の範囲は、添付の請求の範囲を参考にして決定される。
【００１０】
図１は、本発明の実施形態に基づいた変圧装置の概略図である。図１に表されるように、変圧装置１０は、プリント回路基板（ＰＣＢ）１１ａおよび変圧モジュール１２を含む。変圧モジュール１２は、ＰＣＢ１１ａ上に配置され、第１の変圧ユニット２１および第２の変圧ユニット２２を含む。第１および第２の変圧ユニット２１および２２は、ＰＣＢ１１ａ上に配置され、互いに隣接して配列される（即ち隣接して並べられる）。図１に表されるように、ピンセット３１、３２、３３、および３４は、第１の変圧ユニット２１のピンと見なされることができ、ピンセット４１、４２、４３、および４４は、第２の変圧ユニット２２のピンと見なされることができる。図２は、図１の第１および第２の変圧ユニット２１および２２の構造図である。図２に表されるように、変圧ユニット２０は、磁気コア素子６０、第１の巻線セット７１、および第２の巻線セット７２を有する。磁気コア素子６０は、第１の磁気コア６１および第２の磁気コア６２を含む。例えば、第１の磁気コア６１は、ドラム型コアであることができ、第２の磁気コア６２は、板状コアであることができるが、これに限定されるものではない。特に、第１の磁気コア６１は、ピンセット３１、３２、３３、および３４を有する。ピンセット３１および３２は、第１の磁気コア６１の同じ側に配置され、ピンセット３３および３４は、ピンセット３１および３２と反対のもう一つの側に配置される。この実施形態では、ピンセットの各々は２つのピンを有するがこれに限定されるものではない。いくつかの実施形態では、ピンセットの各々は、２つ以上のピンを有することができる。
【００１１】
図２では、第１および第２の巻線セット７１および７２は、第１の磁気コア６１に巻かれている。第１の巻線セット７１は、ピンセット３１および３３に電気的に接続され、第２の巻線セット７２は、ピンセット３２および３４に電気的に接続され、第１および第２の巻線セット７１および７２と、磁気コア素子６０は、電磁気結合の効果を発生するように配置されることができる。特に、この実施形態では、第１の巻線セット７１は、配線７１０および７１１を有する。配線７１０は、ピンセット３１のピンの１つおよびピンセット３３のピンの１つに電気的に接続され、配線７１１は、ピンセット３１のピンのもう１つおよびピンセット３３のピンのもう１つに電気的に接続される。同様に、第２の巻線セット７２は、配線７２０および７２１を有し、配線７２０と７２１およびピンセット３２と３４の電気的接続方法は、配線７１０と７１１およびピンセット３１と３３の電気的接続方法と同じであるため、その詳細は簡潔にするために省略される。実施形態では、第１の巻線セット７１および第２の巻線セット７２は、逆の方向で第１の磁気コア６１に巻かれる。例えば、第１の巻線セット７１は、時計回りの方向で第１の磁気コア６１に巻かれ、第２の巻線セット７２は、反時計回りの方向で第１の磁気コア６１に巻かれる。
【００１２】
再度図１を参照すると、変圧装置１０の第１の変圧ユニット２１のピンセット３１および３３は、ＰＣＢ１１ａに対称的に配置され、ピンセット３２および３４も、ＰＣＢ１１ａに対称的に配置される。第２の変圧ユニット２２のピンセット４１および４３は、ＰＣＢ１１ａに対称的に配置され、ピンセット４２および４４も、ＰＣＢ１１ａに対称的に配置される。更に具体的に言うと、ピンセット３１、３２、４１、および４２は、変圧モジュール１２の第１側１３に配置され、ピンセット３３、３４、４３、および４４は、変圧モジュール１２の第２側１４に配置される。また、第１の変圧ユニット２１のピンセット３１および３３は、第２の変圧ユニット２２のピンセット４２および４４に隣接する。
【００１３】
図３Ａを参照すると、図３Ａは、図１のＰＣＢ１１ａの接続方法の概略図である。図３Ａに示されるように、ＰＣＢ１１ａは、第１の変圧ユニット２１および第２の変圧ユニット２２のピンに対応する複数のはんだパッドを有する。注意するのは、ＰＣＢ１１ａ上に配置されたはんだパッドセットは、変圧器のピンセットに対応する。例えば、はんだパッドセット３１ａ、３２ａ、３３ａ、および３４ａは、第１の変圧ユニット２１のピンセット３１、３２、３３、および３４に各々電気的に接続するように構成される。図３Ａに表されるように、第１の導電線Ｃ１は、ＰＣＢ１１ａ上に配置され、第１の導電線Ｃ１は、はんだパッドセット３１ａの２つのはんだパッドに接続するように構成され、第１の変圧ユニット２１がＰＣＢ１１ａ上に配置された時、第１の導電線Ｃ１が第１の変圧ユニット２１のピンセット３１の２つのピン（即ち、複数の第１のピン）に電気的に接続し、第１の変圧ユニット２１のセンタータップを形成する。また、第２の導電線Ｃ２は、はんだパッドセット３４ａの２つのはんだパッドに接続し、第１の変圧ユニット２１がＰＣＢ１１ａ上に配置された時、第２の導電線Ｃ２が第１の変圧ユニット２１のピンセット３４の２つのピン（即ち、複数の第２のピン）に電気的に接続し、第１の変圧ユニット２１のセンタータップを形成する。同様に、第３の導電線Ｃ３は、ＰＣＢ１１ａ上に配置され、第２の変圧ユニット２２がＰＣＢ１１ａ上に配置された時、第３の導電線Ｃ３は、第２の変圧ユニット２２のピンセット４２の２つのピン（即ち、複数の第３のピン）に接続し、第２の変圧ユニット２２のセンタータップを形成する。第４の導電線Ｃ４は、第２の変圧ユニット２２のピンセット４３の２つのピン（即ち、複数の第４のピン）に電気的に接続し、第２の変圧ユニット２２のセンタータップを形成する。
【００１４】
図１および図３Ａに表されるように、第１の変圧ユニット２１は、第２の変圧ユニット２２に隣接するため、第１の変圧ユニット２１のセンタータップおよび第２の変圧ユニット２２のセンタータップ（ピンセット３１と４２および第１と第３の導電線Ｃ１とＣ３を含む）は、変圧モジュール１２の同じ側（即ち、第１側１３）に位置される。例えば、この実施形態では、第１の変圧ユニット２１の一次側コイルのセンタータップは、ピンセット３４および第２の導電線Ｃ２によって形成され、第１の変圧ユニット２１の二次側コイルのセンタータップは、ピンセット３１および第１の導電線Ｃ１によって形成される。ピンセット３３は、第１の変圧ユニット２１の二次側コイルのピンとして提供することができ、ピンセット３２は、第１の変圧ユニット２１の一次側コイルのピンとして提供することができる。同様に、第２の変圧ユニット２２の二次側コイルのセンタータップは、ピンセット４２および第３の導電線Ｃ３によって形成され、第２の変圧ユニット２２の一次側コイルのセンタータップは、ピンセット４３および第４の導電線Ｃ４によって形成される。ピンセット４４は、第２の変圧ユニット２２の二次側コイルのピンとして提供することができ、ピンセット４１は、第２の変圧ユニット２２の一次側コイルのピンとして提供することができる。
【００１５】
この実施形態では、第１の変圧ユニット２１のピンセット３２および３３は、各々一次側コイルのピンおよび二次側コイルのピンとして提供することができる。ピンセット３４および３１は、各々一次側コイルおよび二次側コイルのセンタータップとして提供することができるが、第１の変圧ユニット２１の一次側コイルおよび二次側コイルは、実際のアプリケーションの要件に基づいて、交換されることができ、これに限定されるものではない。例えば、他の実施形態では（図３Ｂに示されるように）、第１の変圧ユニット２１の一次側コイルのセンタータップは、ピンセット３３および第１の導電線Ｃ１によって形成され、第１の変圧ユニット２１の二次側コイルのセンタータップは、ピンセット３２および第２の導電線Ｃ２によって形成される。ピンセット３１は、第１の変圧ユニット２１の一次側コイルのピンとして提供することができ、ピンセット３４は、第１の変圧ユニット２１の二次側コイルのピンとして提供することができる。同様に、第２の変圧ユニット２２の一次側コイルのセンタータップは、ピンセット４４および第３の導電線Ｃ３によって形成され、第２の変圧ユニット２２の二次側コイルのセンタータップは、ピンセット４１および第４の導電線Ｃ４によって形成される。ピンセット４２は、第２の変圧ユニット２２の一次側コイルのピンとして提供することができ、ピンセット４３は、第２の変圧ユニット２２の二次側コイルのピンとして提供することができる。
【００１６】
図４は、本発明の変圧装置の実施形態を表すもう１つの概略図である。図４に表されるように、変圧装置８０は、図１に表された変圧装置１０と同様であり、異なるのは、変圧装置８０が第３の変圧ユニット２３を更に含み、第３の変圧ユニット２３は、第２の変圧ユニット２２に隣接するところである。第３の変圧ユニット２３の構造は、図２に表された第２の変圧ユニット２０の構造と同様である。この実施形態では、第３の変圧ユニット２３は、変圧モジュール１２の第１側１３に配置されたピンセット５１と５２、および変圧モジュール１２の第２側１４に配置されたピンセット５３と５４を有する。
【００１７】
図５を参照すると、図５は、図４のＰＣＢ１１ｂの概略図である。図５に示されるように、図５のＰＣＢ１１ｂは、図３ａのＰＣＢ１１ａと同様であり、異なるのは、ＰＣＢ１１ａが第３の変圧ユニット２３のピンセットに対応するはんだパッドセット５１ａ、５２ａ、５３ａ、および５４ａを更に含むところである。図４および図５に表されるように、第２の変圧ユニット２２のピンセット４１および４３は、各々第３の変圧ユニット２３のピンセット５２および５４に隣接し、第４の導電線Ｃ４は、ピンセット４３（即ち、複数の第４のピン）に接続され、センタータップを形成し、第５の導電線Ｃ５は、ピンセット５４（即ち、第５のピン）に接続され、センタータップを形成し、且つ第６の導電線Ｃ６は、ピンセット５１（即ち、第６のピン）に接続され、センタータップを形成する。この実施形態では、第２の変圧ユニット２２および第３の変圧ユニット２３の２つの隣接するセンタータップは、全て変圧モジュール１２の第２側１４に配置される。
【００１８】
図６は、本発明の実施形態に基づいた変圧装置のもう１つの概略図である。図６に表されるように、変圧装置１００は、図４に表された変圧装置８０と同様であり、異なるのは、変圧装置１００の変圧モジュール１２が第４の変圧ユニット２４を更に含み、第４の変圧ユニット２４は、第３の変圧ユニット２２に隣接するところである。第４の変圧ユニット２４の構造は、図２に表された変圧ユニット２０の構造と同様である。この実施形態では、第４の変圧ユニット２４は、変圧モジュール１２の第１側１３に配置されたピンセット６１と６２、および変圧モジュール１２の第２側１４に配置されたピンセット６３と６４を有する。
【００１９】
図７を参照すると、図７は、図６に表されたＰＣＢ１１ｃの接続方法の概略図である。図７に表されるように、図７のＰＣＢ１１ｃは、図５のＰＣＢ１１ｂと同様であり、異なるところは、ＰＣＢ１１ｃが第４の変圧ユニット２４のピンセットに対応するはんだパッドセット６１ａ、６２ａ、６３ａ、および６４ａを更に含むところである。図６および図７に表されるように、第３の変圧ユニット２３のピンセット５１および５３は、各々第４の変圧ユニット２４のピンセット６２および６４に隣接し、第６の導電線Ｃ６は、ピンセット５１（即ち、第６のピン）に接続され、センタータップを形成し、第７の導電線Ｃ７は、ピンセット６２（即ち、第７のピン）に接続され、センタータップを形成し、且つ第８の導電線Ｃ８は、ピンセット６３（即ち、第８のピン）に接続され、センタータップを形成する。この実施形態では、第３の変圧ユニット２３および第４の変圧ユニット２４の２つの隣接するセンタータップは、全て変圧モジュール１２の第１側１３に配置される。
【００２０】
図６および図７に表されるように、複数の変圧ユニット２１、２２、２３、および２４が並列して配置（即ち並べて配置）された時、センタータップの位置はＰＣＢの導電線によって決定されることができ、２つの隣接する変圧ユニットが同じ一次側コイル（または二次側コイル）のピンを隣接して有する。よって、異なる変圧器の一次側コイルと二次側コイル間の高電圧放電経路は、保護される。よって、本発明の変圧器の２つの隣接する変圧ユニットは、同じ一次側コイル（または二次側コイル）のピンを隣接して有し、変圧装置は、従来の方法より、より高い高電圧絶縁能力を有する。よって、本発明の変圧装置は、従来の変圧器の間隙より小さい間隙で高電圧絶縁試験を通過することができる。また、変圧器のレイアウト面積は、効果的に減少されることができる。
【００２１】
この発明は、実施例の方法及び望ましい実施の形態によって記述されているが、本発明は、これらを限定するものではないことは理解される。逆に、種々の変更及び同様の配置をカバーするものである（当業者には明白なように）。よって、添付の請求の範囲は、最も広義な解釈が与えられ、全てのこのような変更及び同様の配置を含むべきである。
【符号の説明】
【００２２】
１０、８０、１００  変圧装置
１１ａ、１１ｂ、１１ｃ  回路基板
１２  変圧モジュール
１３  第１側
１４  第２側
２１、２２、２３、２４  変圧ユニット
３１、３２、３３、３４、４１、４２、４３、４４、５１、５２、５３、５４、６１、６２、６３、６４  ピンセット
３１ａ、３２ａ、３３ａ、３４ａ、４１ａ、４２ａ、４３ａ、４４ａ、５１ａ、５２ａ、５３ａ、５４ａ、６１ａ、６２ａ、６３ａ、６４ａ  はんだパッドセット
Ｃ１、Ｃ２、Ｃ３、Ｃ４、Ｃ５、Ｃ６、Ｃ７、Ｃ８  導電線
６０  磁気コア素子
６１、６２  磁気コア
７１、７２  巻線セット
７１０、７１１、７２０、７２１  配線
【図１】
2014199906.tif 000003
【図２】
2014199906.tif 000004
【図３Ａ】
2014199906.tif 000005
【図３Ｂ】
2014199906.tif 000006
【図４】
2014199906.tif 000007
【図５】
2014199906.tif 000008
【図６】
2014199906.tif 000009
【図７】
2014199906.tif 000010